(57)【特許請求の範囲】
【請求項１】
上部層回路板と、第１の層回路板と、第１の放射部と、第２の放射部と、給電ユニットとを備え、前記第１の放射部および前記給電ユニットは、前記上部層回路板の配線領域内に印刷され、前記上部層回路板の前記配線領域は、銅箔が前記上部層回路板からエッチング除去される領域であって、該エッチング除去されなかった周囲の銅箔領域に囲まれた領域であり、
前記第１の放射部の端部は前記上部層回路板の前記銅箔領域の第１の側に接続され、前記給電ユニットは、前記第１の放射部と前記上部層回路板の前記銅箔領域の第２の側との間に位置し、間隙は前記給電ユニットと前記上部層回路板の前記銅箔領域との間に形成され、前記給電ユニットは前記第１の放射部と接触せず、前記給電ユニットは信号ケーブルに接続され、前記銅箔領域の前記第２の側は、前記銅箔領域のものである前記第１の側および第３の側のどちらに対しても垂直であり、前記第１の側は前記第３の側に対向し、
前記第２の放射部は前記第１の層回路板の配線領域内に印刷され、前記第１の層回路板の前記配線領域は、銅箔が前記第１の層回路板からエッチング除去される領域であって、該エッチング除去されなかった周囲の銅箔領域に囲まれた領域であり、前記第２の放射部の端部は、前記第１の層回路板の前記銅箔領域の第３の側に接続され、および前記第１の放射部と部分的に重なり合い、
前記上部層回路板の下側表面は、前記第１の層回路板の上側表面に一致することを特徴とするアンテナ。
【請求項２】
前記第２の放射部の幅は、前記第１の放射部の幅より大きいことを特徴とする請求項１に記載のアンテナ。
【請求項３】
第２の層回路板と、第３の放射部とをさらに備え、
前記第３の放射部は、前記第２の層回路板の配線領域内に印刷され、前記第２の層回路板の前記配線領域は、銅箔が前記第２の層回路板からエッチング除去される領域であって、該エッチング除去されなかった周囲の銅箔領域に囲まれた領域であり、前記第３の放射部の端部は、前記第２の層回路板の前記銅箔領域の第１の側に接続され、および前記第２の放射部と部分的に重なり合い、
前記第２の層回路板の上側表面は、前記第１の層回路板の下側表面に一致することを特徴とする請求項１または２に記載のアンテナ。
【請求項４】
前記第１の放射部の幅は、前記第３の放射部の幅に等しいことを特徴とする請求項３に記載のアンテナ。
【請求項５】
前記第１の層回路板の前記配線領域内に印刷される第４の放射部をさらに含み、
前記第４の放射部は、前記第１の層回路板の前記銅箔領域の第２の側と前記第２の放射部との間に位置し、
前記第４の放射部の端部は、前記第１の層回路板の前記銅箔領域の前記第２の側に接続され、間隙は前記第４の放射部の別の端部と前記第２の放射部との間に形成されたことを特徴とする請求項１に記載のアンテナ。
【請求項６】
前記給電ユニットは、
第１の給電部と、第２の給電部と、第３の給電部とを備え、
前記第１の給電部の端部は、前記信号ケーブルに接続され、前記第１の給電部の別の端部は、前記第２の給電部の端部に接続されて、曲がりを形成し、
前記第２の給電部の別の端部は、前記第３の給電部の端部に接続されて、曲がりを形成し、間隙は前記第３の給電部の別の端部と前記上部層回路板の前記銅箔領域の前記第２の側との間に形成され、前記第２の給電部は前記第１の放射部に対して平行であることを特徴とする請求項１に記載のアンテナ。
【請求項７】
前記上部層回路板の前記第２の側は矩形の溝を備え、前記第３の給電部の前記別の端部は前記溝に延び、間隙は前記第３の給電部の前記別の端部と前記溝の底部との間に形成されたことを特徴とする請求項６に記載のアンテナ。
【請求項８】
前記第１の放射部、前記第２の放射部、および前記第３の放射部のそれぞれの長さは、２．２５ミリメートルと４．３ミリメートルの間であることを特徴とする請求項３に記載のアンテナ。
【請求項９】
前記第１の給電部、前記第２の給電部、および前記第３の給電部のそれぞれの長さは、１．９ミリメートルと３．８ミリメートルの間であることを特徴とする請求項６に記載のアンテナ。
【請求項１０】
下部層回路板をさらに備え、前記下部層回路板の上側表面は、前記第２の層回路板の下側表面に一致することを特徴とする請求項３に記載のアンテナ。
【請求項１１】
請求項１乃至１０のいずれか１つに記載のアンテナを備えたことを特徴とする端末。
【発明の詳細な説明】
【技術分野】
【０００１】
本発明は、ワイヤレス通信の分野に関し、詳細には、アンテナおよび端末に関する。
【背景技術】
【０００２】
ワイヤレスフィデリティ（Ｗｉｒｅｌｅｓｓ−Ｆｉｄｅｌｉｔｙ、略してＷｉ−Ｆｉ）環境では、パーソナルコンピュータまたはハンドヘルドデバイス（パームトップコンピュータまたはモバイル電話など）などの端末は、インターネットにワイヤレス方式でアクセスしてよい。一般的なＷｉ−Ｆｉ環境では、すべての端末がＷｉ−Ｆｉ信号を受信し、端末上に配置されるＷｉ−Ｆｉアンテナを使用することによってインターネットにアクセスする。
【０００３】
一般に、Ｗｉ−Ｆｉアンテナは、プリント回路板（英語：Ｐｒｉｎｔｅｄ  ｃｉｒｃｕｉｔ  ｂｏａｒｄ、略してＰＣＢ）、給電ポイント、および放射部を含む。放射部は、平面ストリップ構造であり、放射部は、ＰＣＢ上に印刷される。給電ポイントは、放射部の端部に配置され、給電ポイントは、ＰＣＢ上で信号ケーブルに接続される。給電ポイントは、信号ケーブルを使用することによって入力される送信すべきＷｉ−Ｆｉ信号を受信し、その送信すべきＷｉ−Ｆｉ信号を放射部に送信するために使用される。放射部は、送信すべきＷｉ−Ｆｉ信号を電磁波の形態で送信し、外部のＷｉ−Ｆｉ信号を受信し、次いで、そのＷｉ−Ｆｉ信号を電流の形態で給電ポイントに転送する。給電ポイントは、Ｗｉ−Ｆｉ信号をＰＣＢ上の信号ケーブルに転送する。Ｗｉ−Ｆｉアンテナが動作周波数で働くことを確実にするために、放射部は、長さが少なくとも１６ミリメートル、および幅が少なくとも５ミリメートルである。したがって、ＰＣＢ上でＷｉ−Ｆｉアンテナによって占有される空間は、少なくとも８０平方ミリメートル超である。
【０００４】
本発明を実装するプロセスでは、従来技術は少なくとも以下の問題を有することが見出される。
【０００５】
一般に、Ｗｉ−Ｆｉアンテナの比較的長い放射部により、Ｗｉ−Ｆｉアンテナは、ＰＣＢ上で比較的大きい空間を占有する。その結果、ＰＣＢのサイズは削減することができず、ＰＣＢを使用する端末のサイズもまた削減することができず、端末は、さらに小型化することができない。
【発明の概要】
【発明が解決しようとする課題】
【０００６】
本発明では、改善されたアンテナおよび端末を提供する。
【課題を解決するための手段】
【０００７】
従来技術における問題を解決するために、本発明の実施形態は、アンテナおよび端末を提供する。技術的解決策は、以下の通りである。
【０００８】
第１の態様では、本発明の一実施形態は、アンテナを提供し、このアンテナは、
上部層回路板と、第１の層回路板と、第１の放射部と、第２の放射部と、給電ユニットとを含み、第１の放射部および給電ユニットは、上部層回路板の配線（ｃａｂｌｉｎｇ）領域内に印刷され、
第１の放射部の端部は、上部層回路板の銅箔領域の第１の側に接続され、給電ユニットは、第１の放射部と上部層回路板の銅箔領域の第２の側との間に位置し、間隙は給電ユニットと上部層回路板の銅箔領域との間に形成され、給電ユニットは第１の放射部と接触せず、給電ユニットは信号ケーブルに接続され、銅箔領域の第２の側は銅箔領域のものである第１の側および第３の側のどちらに対しても垂直であり、第１の側は第３の側に対向し、
第２の放射部は第１の層回路板の配線領域内に印刷され、第２の放射部の端部は第１の層回路板の銅箔領域の第３の側に接続され、第１の放射部と部分的に重なり合い、
上部層回路板の下側表面が、第１の層回路板の上側表面に一致（ｆｉｔ）する。
【０００９】
第１の態様の第１の可能な実装方式では、第２の放射部の幅は、第１の放射部の幅より大きい。
【００１０】
第１の態様、および第１の態様の第１の可能な実装方式を参照して、第１の態様の第２の可能な実装方式では、アンテナは、
第２の層回路板と、第３の放射部とをさらに含み、
第３の放射部は第２の層回路板の配線領域内に印刷され、第３の放射部の端部は、第２の層回路板の銅箔領域の第３の側に接続され、および第２の放射部と部分的に重なり合い、
第３の放射部が第２の放射部と部分的に重なり合うように、第２の層回路板の上側表面は、第１の層回路板の下側表面に一致する。
【００１１】
第１の態様の第２の可能な実装方式を参照して、第１の態様の第３の可能な実装方式では、第１の放射部の幅は、第３の放射部の幅に等しい。
【００１２】
第１の態様の第４の可能な実装方式では、アンテナは、
第１の層回路板の配線領域内に印刷される第４の放射部をさらに含み、
第４の放射部は、第１の層回路板の銅箔領域の第２の側と第２の放射部との間に位置し、
第４の放射部の端部は、第１の層回路板の銅箔領域の第２の側に接続され、および間隙が第４の放射部の別の端部と第２の放射部との間に形成される。
【００１３】
第１の態様の第５の可能な実装方式では、給電ユニットは、
第１の給電部と、第２の給電部と、第３の給電部とを含み、
第１の給電部の端部は信号ケーブルに接続され、第１の給電部の別の端部は、第２の給電部の端部に接続されて、曲がりを形成し、
第２の給電部の別の端部は、第３の給電部の端部に接続されて、曲がりを形成し、間隙は第３の給電部の別の端部と上部層回路板の銅箔領域の第２の側との間に形成され、第２の給電部は第１の放射部に対して平行である。
【００１４】
第１の態様の第５の可能な実装方式を参照して、第１の態様の第６の可能な実装では、上部層回路板の第２の側は矩形の溝を含み、第３の給電部の別の端部はその溝に延び、間隙は第３の給電部の別の端部と溝の底部との間に形成される。
【００１５】
第１の態様の第２の可能な実装方式を参照して、第１の態様の第７の可能な実装方式では、第１の放射部、第２の放射部、および第３の放射部のそれぞれの長さは、２．２５ミリメートルと４．３ミリメートルの間である。
【００１６】
第１の態様の第５の可能な実装方式を参照して、第１の態様の第８の可能な実装方式では、第１の放射部、第２の放射部、および第３の放射部のそれぞれの長さは、１．９ミリメートルと３．８ミリメートルの間である。
【００１７】
第１の態様の第９の可能な実装方式では、アンテナは、
下部層回路板をさらに含み、下部層回路板の上側表面が、第２の層回路板の下側表面に一致する。
【００１８】
第２の態様では、本発明の一実施形態は、第１の態様で述べたアンテナを含む端末を提供する。
【００１９】
本発明の実施形態によって提供される技術的解決策は、以下の有益な効果をもたらす。
【００２０】
本発明の実施形態で提供されるアンテナおよび端末によれば、アンテナの放射部がＰＣＢ上の回路板の少なくとも２つの層、すなわち上部層回路板および第１の層回路板上に配置され、その結果、アンテナの放射部の長さが削減され、ＰＣＢ上でアンテナの印刷されたワイヤによって占有される空間が削減される。したがって、ＰＣＢサイズを削減することが可能になり、削減されたサイズのＰＣＢを使用する端末のサイズが削減されてよく、端末がさらに小型化されてよい。
【図面の簡単な説明】
【００２１】
本発明の実施形態における技術的解決策についてより明確に述べるために、以下は、実施形態について述べるために必要とされる添付の図面について簡単に説明する。明らかに、以下の説明における添付の図面は、本発明のいくつかの実施形態を示すにすぎず、当業者なら、創造的努力なしにこれらの添付の図面から他の図面を依然として導出してよい。
【図１】本発明の実施形態１によるアンテナの上部層回路板の概略構造図である。
【図２】本発明の実施形態１によるアンテナの第１の層回路板の概略構造図である。
【図３】本発明の実施形態２によるアンテナの上部層回路板の概略構造図である。
【図４】本発明の実施形態２によるアンテナの第１の層回路板の概略構造図である。
【図５】本発明の実施形態２によるアンテナの第２の層回路板の概略構造図である。
【図６】本発明の実施形態２によるアンテナの下部層回路板の概略構造図である。
【図７】本発明の実施形態２によるアンテナ内の銅箔領域の概略図である。
【図８】本発明の実施形態２によるアンテナ内の給電ユニットの概略図である。
【発明を実施するための形態】
【００２２】
本発明の実施形態の目的、技術的解決策、および利点をより明確にするために、以下は、本発明の実施形態における添付の図面を参照して本発明の実施形態における技術的解決策について明確かつ完全に説明する。明らかに、記載の実施形態は、本発明の実施形態の一部でありすべてではない。当業者によって本発明の実施形態に基づいて創造的努力なしに得られるすべての他の実施形態が、本発明の保護範囲に入るものとする。
【００２３】
別段規定されていない限り、本明細書で使用される技術用語または科学用語は、本発明の当業者によって理解される一般的な意味を有するべきである。本発明の特許出願の明細書および特許請求の範囲では、「第１」「第２」などの用語は、どのような順序、数量、または重要性をも示すことは意図されておらず、異なる構成要素間で区別することが意図されている。同様に、「ａ／ａｎ」「ｏｎｅ（１つ）」などもまた、数量限定を示すことは意図されておらず、少なくとも１つ存在することを示すことが意図されている。「接続」「リンク」などは、物理的または機械的な接続に限定されず、直接か、それとも間接的かにかかわらず、電気的な接続を含んでよい。「上」「下」「左」「右」などは、相対的な位置関係だけを示すことが意図されている。記載の物体の絶対位置が変更されたとき、それに対応して、相対的な位置関係もまた変化する。
【００２４】
実施形態１
図１および図２を参照すると、一実施形態はアンテナを提供し、このアンテナは、
上部層回路板１０と、第１の層回路板２０と、第１の放射部１１と、第２の放射部２１と、給電ユニット１２とを含み、第１の放射部１１および給電ユニット１２は、上部層回路板１０の配線領域内に印刷される。
【００２５】
第１の放射部１１の端部は、上部層回路板１０の銅箔領域の第１の側に接続される。給電ユニット１２は、第１の放射部１１と、上部層回路板１０の銅箔領域の第２の側との間に位置し、間隙が給電ユニット１２と上部層回路板１０の銅箔領域との間に形成され、給電ユニット１２は第１の放射部１１と接触せず、給電ユニット１２は信号ケーブル（図には示されず）に接続される。銅箔領域の第２の側は、銅箔領域のものである第１の側および第３の側のどちらに対しても垂直であり、第１の側は第３の側に対向する。
【００２６】
第２の放射部２１は、第１の層回路板２０の配線領域内に印刷され、第２の放射部２１の端部は、第１の層回路板２０の銅箔領域の第３の側に接続され、第１の放射部１１と部分的に重なり合う。
【００２７】
上部層回路板１０の下側表面は、第１の層回路板２０の上側表面に一致する。
【００２８】
給電ユニット１２の端部が給電ポイントであり、信号ケーブルに接続される。容量結合が、給電ユニット１２の別の端部と、上部層回路板の銅箔領域の第２の側との間に形成される。
【００２９】
任意選択で、信号ケーブルは、上部層回路板１０内に位置する。
【００３０】
各層回路板の配線領域は、銅箔が回路板からエッチング除去される領域である。
【００３１】
第１の放射部１１および給電ユニット１２は、上部層回路板１０の上側表面上に位置し、第２の放射部２１は、第１の層回路板２０の上側表面上に位置する。あるいは、第１の放射部１１および給電ユニット１２は、上部層回路板１０の下側表面上に位置し、第２の放射部２１は、第１の層回路板の下側表面上に位置する。
【００３２】
この実施形態において提供されるアンテナの動作原理は、以下の通りである。
【００３３】
アンテナの給電ユニットの給電ポイントが、信号ケーブルを使用することによって転送される、送るべき（ｔｏ−ｂｅ−ｓｅｎｔ）信号を受信し、送るべき信号を給電ユニットの別の端部に転送し、容量結合が、給電ユニットの別の端部と、上部層回路板の銅箔領域の第３の側との間に形成される。給電ユニットは、送るべき信号を電流の形態で、上部層回路板の銅箔領域の第３の側と共に容量結合を形成する別の端部を通じて、上部層回路板の銅箔領域に転送する。第１の放射部は上部層回路板の銅箔領域に接続されているので、送るべき信号は、第１の放射部に転送されることになる。上部層回路板の銅箔領域が電流を受信した後で、電流は、上部層回路板に一致する第１の層回路板の銅箔領域に転送され、その結果、第１の層回路板の銅箔領域に接続されている第２の放射部が電気を導通し、働く。第２の放射部は、第１の放射部と部分的に重なり合うことによって第１の放射部と容量結合される。現れるキャパシタンスは、第２の放射部と第１の放射部との間の重なり合う部分の面積に比例し、アンテナの給電ユニットによって生成されるインダクタンスに整合する。したがって、第１の放射部は、受信された送信すべき信号を電磁波の形態で送信する。アンテナが外部信号を受信したとき、第１の放射部は、受信された信号を電流の形態で上部層回路板の銅箔領域に転送し、上部層回路板の銅箔領域は、受信された信号を給電ユニットに転送し、給電ユニットは、受信された信号をＰＣＢ上の信号ケーブルに転送する。
【００３４】
前述の説明を使用すれば、アンテナの放射部は、ＰＣＢ上の回路板の少なくとも２つの層、すなわち上部層回路板および第１の層回路板上に配置され、その結果、アンテナの放射部の長さが削減され、ＰＣＢ上でアンテナの印刷されたワイヤによって占有される空間が削減される。したがって、ＰＣＢサイズを削減することが可能になり、削減されたサイズのＰＣＢを使用する端末のサイズが削減されてよく、端末がさらに小型化されてよい。
【００３５】
実施形態２
図３から図８を参照すると、本発明の一実施形態は、アンテナを提供し、このアンテナは、
上部層回路板１００と、第１の層回路板２００と、第２の層回路板３００と、下部層回路板４００と、第１の放射部１０１と、第２の放射部２０１と、第３の放射ユニット３０１と、第４の放射ユニット２０２と、給電ユニット１０２とを含む。
【００３６】
第１の放射部１０１、第２の放射部２０１、第３の放射部３０１、第４の放射部２０２、および給電ユニット１０２のそれぞれは、平面ストリップ構造であり、回路板の配線領域内に印刷される。
【００３７】
特に、第１の放射部１０１および給電ユニット１０２は、上部層回路板１００の配線領域内に印刷される。第１の放射部１０１の端部は、上部層回路板１００の銅箔領域の第１の側５０１に接続される。給電ユニット１０２は、第１の放射部１０１と、上部層回路板１００の銅箔領域の第２の側５０２との間に位置し、間隙は給電ユニット１０２と上部層回路板１００の銅箔領域との間に形成され、給電ユニット１０２は、第１の放射部１０１と接触しない。銅箔領域の第２の側５０２は、銅箔領域のものである第１の側５０１および第３の側５０３のどちらに対しても垂直であり、第１の側５０１は第３の側５０３に対向する。
【００３８】
給電ユニット１０２は、第１の給電部１０２１と、第２の給電部１０２２と、第３の給電部１０２３とを含む。第１の給電部１０２１、第２の給電部１０２２、および第３の給電部１０２３はすべて、上部層回路板１００の配線領域内に印刷される。
【００３９】
第１の給電部１０２１の端部は給電ポイントであり、ＰＣＢ上の内部信号ケーブルに接続される。第１の給電部１０２１の別の端部は、第２の給電部１０２２の端部に接続され、曲がりを形成する。
【００４０】
第２の給電部１０２２の別の端部は、第３の給電部１０２３の端部に接続されて、曲がりを形成し、第２の給電部は、第１の放射部に対して平行である。
【００４１】
間隙は第３の給電部１０２３の別の端部と上部層回路板１００の銅箔領域の第２の側５０２との間に形成される。
【００４２】
第１の給電部１０２１、第２の給電部１０２２、および第３の給電部１０２３は、誘導結合されて、開口を形成する。
【００４３】
第２の放射部２０１は、第１の層回路板２００の配線領域内に印刷され、第２の放射部２０１の端部は、第１の層回路板２００の銅箔領域の第３の側５０３に接続される。さらに、上部層回路板１００の直交方向における第１の放射部１０１の突出部は、第２の放射部２０１と部分的に重なり合い、容量結合を生成するために使用される。
【００４４】
第３の放射部３０１は、第２の層回路板３００の配線領域内に印刷され、第３の放射部３０１の端部は、第２の層回路板３００の銅箔領域の第１の側５０１に接続される。さらに、上部層回路板１００の直交方向における第２の放射部２０１の突出部は、第３の放射部３０１と部分的に重なり合い、容量結合を生成するために使用される。
【００４５】
上部層回路板１００の下側表面は、第１の層回路板２００の上側表面に一致し、第２の層回路板３００の上側表面は、第１の層回路板２００の下側表面に一致し、下部層回路板４００の上側表面は、第２の層回路板３００の下側表面に一致する。
【００４６】
第１の放射部１０１および給電ユニット１０２は、上部層回路板１００の上側表面上に位置し、第２の放射部２０１は、第１の層回路板２００の上側表面上に位置し、第３の放射部３０１は、第２の層回路板３００の上側表面上に位置する。あるいは、第１の放射部１０１および給電ユニット１０２は、上部層回路板１００の下側表面上に位置し、第２の放射部２０１は第１の層回路板２００の下側表面上に位置し、第３の放射部３０１は第２の層回路板３００の下側表面上に位置する。
【００４７】
第１の放射部、第２の放射部、および第３の放射部を、それぞれ上部層回路板、第１の層回路板、および第２の層回路板上に配置することによって、アンテナのアイソレーションは、良好なアイソレーション効果を有するように動作周波数内で−２５デシベルに達し、動作時のアンテナは、別のアンテナの干渉を可能な限り回避してよい。
【００４８】
任意選択で、上部層回路板１００、第１の層回路板２００、および第２の層回路板３００のそれぞれの厚さは、０．１ミリメートルと０．２ミリメートルの間であってよい。
【００４９】
上部層回路板１００、第１の層回路板２００、および第２の層回路板３００のそれぞれの厚さは、ＰＣＢ板の各層板の実際の厚さに従って決定される。ＰＣＢが５層板構造であると仮定すると、全厚さは１ミリメートルであり、各層の厚さは０．２ミリメートルであり（実際には、層板すべての厚さは、互いにわずかに異なる）、上部層回路板および第１の層回路板のどちらの厚さも、０．２ミリメートル、０．４ミリメートル、または０．６ミリメートルであってよい。より大きな厚さは、容量結合のより小さな量を示し、第１の放射部、第２の放射部、および第３の放射部のそれぞれの配線幅は、第１の放射部、第２の放射部、および第３の放射部の間で、容量結合の量を確保するために増大されるべきである。各放射部の極端に大きな幅は、ＰＣＢの小型化に逆らう。一般に、上部層回路板、第１の層回路板、および第２の層回路板のそれぞれの厚さは、ＰＣＢの各層板の実際の厚さに従って、可能な限りＰＣＢ上の板の１層または２層と同程度の厚さをとってよい。
【００５０】
さらに、上部層回路板１００、第１の層回路板２００、および第２の層回路板３００のそれぞれの厚さは、０．１ミリメートル、０．１５ミリメートル、または０．２ミリメートルであってよい。
【００５１】
第２の放射部２０１の幅は、第１の放射部１０１の幅または第３の放射部３０１の幅より大きく、第１の放射部１０１の幅は、第３の放射部３０１の幅と一致する。
【００５２】
任意選択で、第１の放射部１０１の幅は、第３の放射部３０１の幅と一致しなくてよい。
【００５３】
任意選択で、第１の放射部１０１の幅および第３の放射部３０１の幅は、０．２５ミリメートルから０．３５ミリメートルの範囲であり、第２の放射部２０１の幅は、０．４５ミリメートルと０．６ミリメートルの間である。
【００５４】
さらに、第１の放射部１０１の幅および第３の放射部３０１の幅は共に、０．２５ミリメートル、０．３ミリメートル、または０．３５ミリメートルであってよい。第２の放射部２０１の幅は、０．４５ミリメートル、０．５ミリメートル、０．５５ミリメートル、または０．６ミリメートルであってよい。
【００５５】
第１の放射部１０１、第２の放射部２０１、および第３の放射部３０１は、容量結合され、現れるキャパシタンスは、重なり合う部分の面積に比例する。
【００５６】
アンテナの第１の放射部１０１、第２の放射部２０１、および第３の放射部３０１によって形成される容量結合は、アンテナを動作周波数で働かせるために、第１の給電部１０２１、第２の給電部１０２２、および第３の給電部１０２３によって形成される誘導結合とインピーダンス整合を実施するために使用される。
【００５７】
特に、第１の放射部、第２の放射部、および第３の放射部が結合された後で得られるキャパシタンスは、第１の放射部、第２の放射部、および第３の放射部の重なり合う部分の面積によって決定される。したがって、アンテナのキャパシタンスは、第２の放射部の幅を設定することによって決定されてよい。大きなキャパシタンスが必要とされるとき、第２の放射部の大きな幅が設定され、第１の放射部、第２の放射部、および第３の放射部の重なり合う部分の大きな面積をなし、大きなキャパシタンスが現れる。小さなキャパシタンスが必要とされるとき、第２の放射部の小さな幅が設定され、第１の放射部、第２の放射部、および第３の放射部の重なり合う部分の小さな面積をなし、小さなキャパシタンスが現れる。
【００５８】
第１の給電部１０２１、第２の給電部１０２２、および第３の給電部１０２３のそれぞれの長さは、１．９５ミリメートルと３．２ミリメートルの間である。
【００５９】
任意選択で、第１の給電部１０２１の長さは１．９５ミリメートルであり、第２の給電部１０２２の長さは３．２ミリメートルであり、第３の給電部１０２３の長さは２．５５ミリメートルである。
【００６０】
任意選択で、第１の給電部１０２１の長さは２ミリメートルであり、第２の給電部１０２２の長さは３．１５ミリメートルであり、第３の給電部１０２３の長さは２．５ミリメートルである。
【００６１】
任意選択で、第１の給電部１０２１の長さは２．２ミリメートルであり、第２の給電部１０２２の長さは３．１ミリメートルであり、第３の給電部１０２３の長さは２．４ミリメートルである。
【００６２】
さらに、第１の放射部１０１、第２の放射部２０１、第３の放射部３０１、第４の放射部２０２、第１の給電部１０２１、第２の給電部１０２２、および第３の給電部１０２３のそれぞれの長さは、アンテナのものである動作周波数および動作条件を満たす条件下で、それぞれ別の長さを経路設定してよく、本明細書では、詳細について述べない。
【００６３】
アンテナの給電部および放射部のそれぞれの配線長から、この実施形態の方式で形成されたアンテナによってＰＣＢ上で占有される空間は、一般に、３ミリメートル×５ミリメートルの範囲内にあること、すなわち、最大１５平方ミリメートルの空間がＰＣＢ上で占有され、これは一般にアンテナによって占有されるＰＣＢ空間の８０平方ミリメートルの６分の１であることがわかってよい。ＰＣＢ上でアンテナの印刷されたワイヤによって占有される空間が非常に削減され、ＰＣＢサイズを削減することが可能になる。
【００６４】
さらに、上部層回路板１００の第２の側は、矩形の溝１０３を含み、第３の給電部１０２３の別の端部がその溝１０３に延び、間隙が第３の給電部１０２３の別の端部と溝１０３の底部との間に形成される。第３の給電部１０２３の別の端部は、その間隙を使用することによって、周囲の銅箔領域と共に容量結合を形成し、現れるキャパシタンスは、間隙の幅に反比例する。
【００６５】
前述の動作を使用すれば、第３の給電部の別の端部は、上部層回路板の銅箔領域内に事前に配置される、周囲の銅箔領域と共に間隙を形成する矩形の溝１０３に延びる。したがって、上部層回路板の銅箔領域内に事前に配置される溝１０３に延びる第３の給電部の端部は、周囲の銅箔領域と共に容量結合を形成し、さらに、アンテナのものであるキャパシタンスおよびインダクタンスはインピーダンスに整合し、アンテナによって占有されるＰＣＢ空間を削減する。
【００６６】
さらに、アンテナは、第４の放射部２０２をさらに含む。第４の放射部２０２は、第１の層回路板２００の配線領域内に印刷され、第１の層回路板２００の銅箔領域の第２の側と第２の放射部２０１との間に配置される。第４の放射部２０２の端部は、第１の層回路板２００の銅箔領域の第２の側に接続され、間隙が第４の放射部２０２の別の端部と第２の放射部２０１との間に形成される。
【００６７】
第４の放射部２０２は、第１の層回路板２００の銅箔領域の第２の側と第２の放射部２０１との間に、第２の放射部２０１に対して垂直である方式で配置される。
【００６８】
アンテナ全体が弱いインダクタンスを呈するとき、第４の放射部を第１の層回路板の銅箔領域の第２の側と第２の放射部との間に配置することによって、第４の放射部がアンテナのキャパシタンスを増大および微調整するために使用され、その結果、アンテナのキャパシタンスがアンテナのインダクタンスと整合し、アンテナは動作周波数で働くことができる。
【００６９】
第１の放射部１０１および給電ユニット１０２は、上部層回路板１００の上側表面上に位置し、第２の放射部２０１および第４の放射部２０２は、第１の層回路板２００の上側表面上に位置し、第３の放射部３０１は、第２の層回路板３００の上側表面上に位置する。あるいは、第１の放射部１０１および給電ユニット１０２は、上部層回路板１００の下側表面上に位置し、第２の放射部２０１および第４の放射部２０２は、第１の層回路板２００の下側表面上に位置し、第３の放射部３０１は、第２の層回路板３００の下側表面上に位置する。
【００７０】
第１の放射部１０１、第２の放射部２０１、第３の放射部３０１、および第４の放射部２０２のそれぞれの長さは、２．２５ミリメートルと４．３ミリメートルの間である。
【００７１】
任意選択で、第１の放射部１０１の長さは３ミリメートルであり、第２の放射部２０１の長さは４．３ミリメートルであり、第３の放射部３０１の長さは３ミリメートルであり、第４の放射部２０２の長さは２．２５ミリメートルである。
【００７２】
任意選択で、第１の放射部１０１の長さは３．２ミリメートルであり、第２の放射部２０１の長さは４．１ミリメートルであり、第３の放射部３０１の長さは３．２ミリメートルであり、第４の放射部２０２の長さは２．３ミリメートルである。
【００７３】
任意選択で、第１の放射部１０１の長さは２．８ミリメートルであり、第２の放射部２０１の長さは４．４ミリメートルであり、第３の放射部３０１の長さは２．９ミリメートルであり、第４の放射部２０２の長さは２．３５ミリメートルである。
【００７４】
この実施形態において提供されるアンテナの動作原理は、以下の通りである。
【００７５】
アンテナの給電ユニットの第１の給電部上の給電ポイントが、信号ケーブルを使用することによって転送される、送るべき信号を受信し、該送るべき信号を電流の形態で第３の給電部の端部に転送し、容量結合は、その端部と、上部層回路板の銅箔領域の第２の側との間に形成される。次いで、該送るべき信号は、電流の形態で上部層回路板の銅箔領域に転送される。第１の放射部は上部層回路板の銅箔領域に接続されているので、該送るべき信号は、第１の放射部に転送されることになる。上部層回路板の銅箔領域が電流を受信した後で、電流は、上部層回路板に一致する第１の層回路板の銅箔領域、および第１の層回路板に一致する第２の層回路板の銅箔領域に転送され、その結果、第１の層回路板の銅箔領域に接続されている第２の放射部、および第２の層回路板の銅箔領域に接続されている第３の放射部が電気を導通し、働く。第１の放射部および第３の放射部はどちらも、第２の放射部と部分的に重なり合うことによって第２の放射部と容量結合され、アンテナの給電ユニットによって生成されるインダクタンスに整合する。したがって、第１の放射部は、受信された送信すべき信号を電磁波の形態で送信する。アンテナが外部信号を受信したとき、第１の放射部は、受信された信号を電流の形態で上部層回路板の銅箔領域に転送し、上部層回路板の銅箔領域は、受信された信号を給電ユニットに転送し、給電ユニットは、受信された信号をＰＣＢ上の信号ケーブルに転送する。
【００７６】
本発明の一実施形態は端末をさらに提供し、端末は上記のアンテナを含む。
【００７７】
本発明のこの実施形態で提供される端末は、モバイル電話、タブレットコンピュータ、携帯情報端末などであってよい。
【００７８】
したがって、この明細書における端末の実施形態について簡単に述べる。関連の部分については、アンテナの実施形態における部分的な説明を参照されたい。
【００７９】
本発明の実施形態で提供されるアンテナおよび端末によれば、アンテナの放射部がＰＣＢ上の回路板の少なくとも２つの層、すなわち上部層回路板および第１の層回路板上に配置され、その結果、アンテナの放射部の長さが削減され、ＰＣＢ上でアンテナの印刷されたワイヤによって占有される空間が削減される。したがって、ＰＣＢサイズを削減することが可能になり、削減されたサイズのＰＣＢを使用する端末のサイズが削減されてよく、端末がさらに小型化されてよい。
【００８０】
本発明の前述の実施形態の順序番号は例示のためのものにすぎず、実施形態の優先順位を示すことは意図されていない。
【００８１】
最後に、前述の実施形態は、本発明の技術的解決策について述べるためのものにすぎず、本発明を限定するためのものではないことに留意されたい。本発明について前述の実施形態を参照して詳細に述べられているが、当業者なら、本発明の実施形態の技術的解決策の範囲から逸脱することなしに、前述の実施形態に記載の技術的解決策に対して依然として修正を加える、またはその一部もしくはすべての技術的特徴に対する均等な置き換えをしてよいことを理解されたい。
【図１】
0006431212.tif 000002
【図２】
0006431212.tif 000003
【図３】
0006431212.tif 000004
【図４】
0006431212.tif 000005
【図５】
0006431212.tif 000006
【図６】
0006431212.tif 000007
【図７】
0006431212.tif 000008
【図８】
0006431212.tif 000009